(57)【要約】【課題】腰周辺の複数の部位を押圧する加圧用具を提供する。【解決手段】骨盤まわりに装着される骨盤ベルト１０と、腰椎まわりに装着される腰椎ベルト２０と、骨盤ベルト１０と腰椎ベルト２０とを着脱自在につなぐ連結部材３０と、を備え、骨盤ベルト１０と腰椎ベルト２０とが、それぞれ長手方向を骨盤ベルト１０と腰椎ベルト２０とに沿わせて設けられており膨らんで使用者の体を押圧する長尺な膨張部材を複数備え、好ましくは、股関節に寄せて大腿部に装着される股関節ベルト４０と、股関節ベルト４０と骨盤ベルト１０とを着脱自在につなぐ連結部材５０と、をさらに備え、股関節ベルト４０が、長手方向を股関節ベルト４０に沿わせて設けられており膨らんで使用者の体を押圧する長尺な膨張部材を備えている。【選択図】図８
2019088419.tif 000002
【特許請求の範囲】
【請求項１】
骨盤まわりに装着される骨盤ベルトと、腰椎まわりに装着される腰椎ベルトと、上記骨盤ベルトと上記腰椎ベルトとを着脱自在につなぐ連結部材と、を備え、
上記骨盤ベルトと上記腰椎ベルトとが、それぞれ長手方向を上記骨盤ベルトと上記腰椎ベルトとに沿わせて設けられており膨らんで使用者の体を押圧する長尺な膨張部材を複数備えていることを特徴とする、加圧用具。
【請求項２】
股関節に寄せて大腿部に装着される股関節ベルトと、上記股関節ベルトと上記骨盤ベルトとを着脱自在につなぐ連結部材と、をさらに備え、
上記股関節ベルトが、長手方向を上記股関節ベルトに沿わせて設けられており膨らんで使用者の体を押圧する長尺な膨張部材を備えていることを特徴とする、請求項１に記載の加圧用具。
【請求項３】
上記骨盤ベルトと上記腰椎ベルトとは、使用者の腹に重なる内面に上記膨張部材による上記腹への押圧を低減する保護部材を備えていることを特徴とする、請求項１又は請求項２に記載の加圧用具。
【請求項４】
上記骨盤ベルトと上記腰椎ベルトとは、使用者の腹への押圧を低減するよう、上記膨張部材を使用者の背面側に対応する位置に設けていることを特徴とする、請求項１又は請求項２に記載の加圧用具。
【請求項５】
骨盤まわりに装着される骨盤ベルトと、股関節に寄せて大腿部に装着される股関節ベルトと、上記骨盤ベルトと上記股関節ベルトとを着脱自在につなぐ連結部材と、を備え、
上記骨盤ベルトが、長手方向を上記骨盤ベルトに沿わせて設けられており膨らんで使用者の体を押圧する長尺な膨張部材を複数備え、
上記股関節ベルトが、長手方向を上記股関節ベルトに沿わせて設けられており膨らんで使用者の体を押圧する膨張部材を備え、
上記連結部材が、内股側より脚の側面側が高くなるよう上記股関節ベルトを傾けた状態に保持することを特徴とする、加圧用具。
【発明の詳細な説明】
【技術分野】
【０００１】
本発明は、腰周辺に巻いて体を押圧する加圧用具の構造に関する。
【背景技術】
【０００２】
腰痛の処置として、コルセットやベルトを用いて腰椎のずれを矯正することが知られている。特許文献１には従来のベルトが開示されており、このベルトは、腰まわりに巻かれるベルト本体と、ベルト本体に設けられたゴムチューブと、を備えており、使用者の腰に装着した状態でゴムチューブを膨らませて、腰を押圧して腰痛を和らげるように用いられている。
【先行技術文献】
【特許文献】
【０００３】
【特許文献１】特開平１１−８９８６３号公報
【発明の概要】
【発明が解決しようとする課題】
【０００４】
特許文献１のベルトは腰まわりに巻いて、第４腰椎や第５腰椎を集中的に押圧するものと考えられるが、そもそも腰痛の原因は腰以外に起因する場合もあり、患部だけでなくその周辺も併せて押圧して対処できる加圧用具が望まれる。
【０００５】
本発明は、腰周辺の複数の部位を押圧する加圧用具を提供することを目的とする。
【課題を解決するための手段】
【０００６】
本発明の加圧用具は、骨盤まわりに装着される骨盤ベルトと、腰椎まわりに装着される腰椎ベルトと、上記骨盤ベルトと上記腰椎ベルトとを着脱自在につなぐ連結部材と、を備えている。上記骨盤ベルトと上記腰椎ベルトとが、それぞれ長手方向を上記骨盤ベルトと上記腰椎ベルトとに沿わせて設けられており膨らんで使用者の体を押圧する長尺な膨張部材を複数備えている。
【０００７】
本発明の加圧用具は、好ましくは、股関節に寄せて大腿部に装着される股関節ベルトと、上記股関節ベルトと上記骨盤ベルトとを着脱自在につなぐ連結部材と、をさらに備えている。上記股関節ベルトが、長手方向を上記股関節ベルトに沿わせて設けられており膨らんで使用者の体を押圧する長尺な膨張部材を備えている。
【０００８】
本発明の加圧用具は、好ましくは、上記骨盤ベルトと上記腰椎ベルトとが、使用者の腹に重なる内面に保護部材や上記膨張部材を使用者の背面側に対応する位置に設けて、使用者の腹への押圧を低減するよう構成されている。
【発明の効果】
【０００９】
本発明によれば、腰周辺の広い範囲に亘って、複数の部位を加圧することができる。
【図面の簡単な説明】
【００１０】
【図１】（ａ）と（ｂ）は本発明の第１実施形態の加圧用具を装着した状態を示す図である。
【図２】（ａ）と（ｂ）は本発明の第１実施形態の骨盤ベルトを示す図である。
【図３】（ａ）は図２（ａ）のＡ−Ａ線に沿った骨盤ベルトの断面図であり、（ｂ）は空気袋の断面図であり、（ｃ）は規制部材の断面図であり、（ｄ）は収容袋の断面図である。
【図４】本発明の第１実施形態の空気袋を示す図である。
【図５】本発明の第１実施形態の骨盤ベルトと腰椎ベルトとをつなぐ連結部材を示す図である。
【図６】（ａ）と（ｂ）は本発明の第２実施形態の加圧用具を装着した状態を示す図である。
【図７】（ａ）は本発明の第２実施形態の骨盤ベルトを示す図であり、（ｂ）は（ａ）のＣ―Ｃ線に沿った骨盤ベルトの断面図である。
【図８】（ａ）と（ｂ）は本発明の実施例の加圧用具を装着した状態を示す図である。
【図９】図８のＤ―Ｄ線に沿った骨盤ベルトの断面図である。
【発明を実施するための形態】
【００１１】
（第１実施形態）
図１は本発明の第１実施形態の加圧用具１を示す図であり、加圧用具１は、骨盤ベルト１０と腰椎ベルト２０とを備えている。図１では、（ａ）が加圧用具１を装着した使用者を正面から見た図であり、（ｂ）が（ａ）の装着状態における加圧用具１と使用者の骨格とを示す概略図である。なお、図１（ｂ）は骨格を実線で表し、この骨格に対応する加圧用具１を斜線を付して表している。
【００１２】
（骨盤ベルト）
図２の（ａ）と（ｂ）は骨盤ベルト１０の広げた状態を示す図であり、図３は図２（ａ）のＡ−Ａ線に沿った骨盤ベルト１０の断面を拡大した図である。骨盤ベルト１０は、使用者の骨盤まわりに巻かれるベルト本体１１０と、ベルト本体１１０に設けられ長尺に形成された二つの膨張部材１２０と、ベルト本体１１０を骨盤まわりに巻いた状態を維持する固定部材１３０と、を備えている。なお、図２において、（ａ）はベルト本体１１０の外側の面を表し、（ｂ）はベルト本体１１０の内側の面を表している。
【００１３】
ベルト本体１１０は、外側の面を構成する平たい表材１１１と、この表材１１１に重ねるよう設けられて使用者に当たる内側の面を構成する平たい裏材１１２と、から構成されている。表材１１１と裏材１１２との間が膨張部材１２０を入れる収容部１１５として構成されており、収容部１１５が二つ設けられている。収容部１１５はそれぞれ一つの膨張部材１２０がその長手方向をベルト本体１１０の長手方向に沿わせて入れることができるよう構成されている。二つの収容部１１５がベルト本体１１０の幅方向に並んでいる。
【００１４】
表材１１１と裏材１１２とは、周縁でつながっていると共に、図２（ｂ）において破線で示すステッチ１１４で繋がっている。ステッチ１１４が長手方向に延びて表材１１１と裏材１１２との間を分けており、二つの収容部１１５が構成されている。ベルト本体１１０は、表材１１１が裏材１１２より硬質な素材で構成されて、ベルト本体１１０の形態を保持するように構成されている。
【００１５】
図２（ａ）は収容部１１５に入れられる膨張部材１２０を破線で表しており、膨張部材１２０はベルト本体１１０の一方の端部から他方の端部までに亘って設けられている。膨張部材１２０の長さは、図示例に限られるものではなく、骨盤まわりでその一部、例えば尻側にだけ当たるよう半周する長さなどに設定されてもよい。
【００１６】
膨張部材１２０は、外部から空気を送られて膨らむ空気袋１２１と、空気袋１２１の外側に設けられて空気袋１２１の膨らむ方向をベルト本体１１０内側の使用者へ向ける規制部材１２２と、空気袋１２１と規制部材１２２とを入れる収容袋１２３と、を備えている。
【００１７】
図３（ｂ）は空気袋１２１の断面図であり、また図４はベルト本体１１０に設けられる二つの空気袋１２１を分離した状態で示す図である。空気袋１２１は、ベルト本体１１０の収容部１１５と比べて幅狭に形成されて帯状を成し、口部１２１Ａが周縁の一部から外側へ突き出ている。空気袋１２１は、口部１２１Ａを通して内部に空気を入れて膨らみ、これとは逆に外へ空気を出して平たい形状に戻る。空気袋１２１は、例えばゴム製の袋を利用することができる。
【００１８】
規制部材１２２は、空気袋１２１と同様に、細長い帯状に形成されている。規制部材１２２は、空気袋１２１より伸縮率の低い部材などを利用し、例えばネオプレンゴムで成るシートや、撓み可能なプラスチック製のシートを利用することができる。
【００１９】
収容袋１２３は、空気袋１２１と規制部材１２２とを重ね合わせるように、内部に収容するものであり、帯状に平たく伸縮性のある生地で構成されており、図３（ｄ）に示すように内部が仕切り部１２３Ａで二つに分けられてポケットＰ１，Ｐ２を構成する。一方のポケットＰ１が空気袋１２１を入れるために用いられ、他方のポケットＰ２が規制部材１２２を入れるために用いられる。
【００２０】
二つの膨張部材１２０は、空気袋１２１の口部１２１Ａが図４に示す連結用チューブ１２７を介してつながるよう設けられている。連結用チューブ１２７は、膨張部材１２０と同様にベルト本体１１０の内部に設けられ、例えばＹ字型に形成されたものを用いることができる。連結用チューブ１２７の三つの接続端部の内、一つが共用の空気の給気口や排気口を構成し、この共用の接続端部１２７Ａがベルト本体１１０に設けられた穴を通して外に現れる。ベルト本体１１０の外に出された連結用チューブの接続端部１２７Ａには栓を兼ねたコネクターが設けられており、このコネクターに図１（ａ）に示すようにポンプ２００や計測器３００につながる他のチューブのコネクターが接続される。穴は、例えばベルト本体１１０の外側の面やベルト本体１１０の縁に設けられている。
【００２１】
（固定部材）
固定部材１３０は、ベルト本体１１０を使用者の体に巻いた状態でベルト本体１１０の一方の端部と他方の端部とをつなぐように構成されている。固定部材１３０は、例えばベルト本体１１０の一方の端部に設けられた雌型バックル１３１と、他方の端部に設けられ雌型バックル１３１に着脱自在に嵌る雄型バックル１３２と、から構成されている。なお、固定部材１３０は、バックルに代えて、スナップ，面ファスナー，ボタンとそれを入れる穴などの他の留め具を用いてもよい。
【００２２】
両端部を固定部材１３０で留めて骨盤ベルト１０を装着した状態で、ベルト本体１１０は、膨張部材１２０がベルト本体１１０外のポンプ２００から送られた空気で膨らむと、ベルト本体１１０の内面が図３（ａ）に二点鎖線で示すように使用者側へ張り出すように変形する。なお、骨盤ベルト１０は、図２（ｂ）に一点鎖線で示すように、使用者の腹に重なる内面にプラスチックなどで構成されたシート状の保護部材１５０を設けて、膨張部材１２０による腹への押圧を低減するように構成されてもよい。
【００２３】
（腰椎ベルト）
腰椎ベルト２０は、骨盤ベルト１０と同様に、ベルト本体１１０と、二つの膨張部材１２０と、固定部材１３０と、を備えている。腰椎ベルト２０のベルト本体１１０は、脊椎の内、第４腰椎や第５腰椎の周りに巻かれる。ベルト本体１１０、膨張部材１２０、固定部材１３０の構成は、骨盤ベルト１０のものと同様である。
【００２４】
腰椎ベルト２０の膨張部材１２０も、骨盤ベルト１０の膨張部材１２０と同様に、ベルト本体１１０外のポンプ２００から送られた空気で膨らむと、ベルト本体１１０の内面が使用者側へ突き出るように変形する。なお、腰椎ベルト２０の膨張部材１２０は、骨盤ベルト１０の膨張部材１２０より大きく膨らむように構成されてもよい。腰椎ベルト２０のベルト本体１１０は、その形態を維持する機能（保形性）に代えて、骨盤ベルト１０のベルト本体１１０より柔軟性を持たせて構成されてもよい。
【００２５】
加圧用具１は、骨盤ベルト１０と腰椎ベルト２０とを着脱自在につなぐ連結部材３０を備えている。図５は連結部材３０の構成例を示す図であり、連結部材３０は、骨盤ベルト１０のベルト本体１１０の上縁側と腰椎ベルト２０のベルト本体１１０の下縁側とを分離可能につなぐようファスナーとして構成されており、骨盤ベルト１０のベルト本体１１０の上縁に沿って等間隔で並んだ複数の務歯部３１と、腰椎ベルト２０のベルト本体１１０の下縁に等間隔で並んだ複数の務歯部３２と、骨盤ベルト１０側の務歯部３１上を移動するよう設けられて両務歯部３１，３２を噛み合わせてつなぐスライダー部３３と、を備えている。連結部材３０は、ファスナーに代えて、スナップ、面ファスナー，ボタンとそれを入れる穴などの他の留め具を用いてもよい。
【００２６】
（使用方法）
骨盤ベルト１０と腰椎ベルト２０とを連結部材３０でつなぎ、使用者の腰まわりに巻く。このとき、骨盤ベルト１０側を、その長手方向の中間部の内側の面を尻側に当てた状態で、一方の端部と他方の端部とを下腹部側へ回して重ね合わせ、固定部材１３０の雄型バックル１３２を雌型バックル１３１に嵌めて、骨盤まわりに装着する。腰椎ベルト２０側も、骨盤ベルト１０と同様に、背中側から腹側に回して、重ね合わせた端部を固定部材１３０で留めて、脊椎の内、第４腰椎や第５腰椎まわりに装着する。
【００２７】
骨盤ベルト１０に、ポンプ２００と計測器３００とをコネクターにつないで、ベルト本体１１０に設けられた空気袋１２１に空気を送り、空気袋１２１を膨らませる。コネクターは、ポンプ２００が外れた状態で空気袋１２１の口（Ｙ字型の連結用チューブ１２７の接続端部１２７Ａ）を塞いで、膨らんだ状態を維持する。腰椎ベルト２０も、骨盤ベルト１０と同様に、ポンプ２００と計測器３００とをコネクターにつないで空気袋１２１を膨らませる。
【００２８】
加圧用具１によれば、骨盤ベルト１０の空気袋１２１が膨張して骨盤まわりを押圧すると共に、腰椎ベルト２０の空気袋１２１が膨張して第４腰椎、第５腰椎まわりを押圧する。加圧用具１を腰周辺の広い範囲に亘って装着することで、骨盤と腰椎とを併せて矯正することができる。
【００２９】
（第２実施形態）
図６は本発明の第２実施形態の加圧用具２を示す図であり、加圧用具２は、骨盤ベルト１０と股関節ベルト４０とを備えている。図６では、（ａ）が加圧用具２を装着した使用者を正面から見た図であり、（ｂ）が（ａ）の装着状態における加圧用具２と使用者の骨格とを示す概略図である。なお、図６（ｂ）は骨格を実線で表し、この骨格に対応する加圧用具２を斜線を付して表している。第１実施形態と同様の構成には、同じ符号を付して、その説明を省略する。
【００３０】
（股関節ベルト）
図７の（ａ）は股関節ベルト４０の広げた状態を示す図であり、（ｂ）は（ａ）のＣ−Ｃ線に沿った股関節ベルト４０の断面を拡大した図である。股関節ベルト４０は、使用者の大腿部まわりに巻かれるベルト本体１１０と、ベルト本体１１０に設けられ長尺に形成された一つの膨張部材１２０と、ベルト本体１１０を大腿部に巻いた状態を維持する固定部材１３０と、を備えている。
【００３１】
ベルト本体１１０は、大腿部に巻いて締め付ける長さに設定されており、例えば大腿部の周囲を一周する長さ以上に設定されている。ベルト本体１１０は、内部が膨張部材１２０を入れる収容部１１５として構成されている。股関節ベルト４０は骨盤ベルト１０と比べて幅狭に形成され、さらに収容部１１５も小さく構成されている。図７（ａ）は収容部１１５に入れられる膨張部材１２０を一点鎖線で表しており、膨張部材１２０はベルト本体１１０の一方の端部から他方の端部までに亘って設けられている。膨張部材１２０は、骨盤ベルト１０の膨張部材１２０と同様に構成されており、空気袋１２１と、規制部材１２２と、収容袋１２３と、を備えている。
【００３２】
膨張部材１２０は、ベルト本体１１０と同様に、大腿部を一周する程度に長さが設定されている。なお、股関節ベルト４０の膨張部材１２０は、骨盤ベルト１０の膨張部材１２０と比べると、ベルト内側への膨らみが小さく設定されている。また、ベルト本体１１０がストレッチ素材などで構成されて、股関節ベルト４０は、内部に膨張部材１２０を入れた状態で全体を長手方向に伸縮性を高く構成されてもよい。
【００３３】
加圧用具２は、骨盤ベルト１０と股関節ベルト４０とを着脱自在につなぐ連結部材５０を備えている。連結部材５０は、例えば図７（ａ）に示すように、ベルト本体１１０から垂れ下がるよう設けられるストラップ５１と、このストラップ５１に設けられたフック５２と、ベルト本体１１０に取り付けられフック５２に掛かるＤ環５３と、を備えている。連結部材５０は、大腿部や骨盤の横に配置されるように、設けられている。なお、連結部材５０は、フックとＤ環とに代えて、スナップ，面ファスナー，ボタンとそれを入れる穴などの留め具を用いてもよい。
【００３４】
（使用方法）
骨盤ベルト１０を使用者の腰まわりに巻く。このとき、骨盤ベルト１０の長手方向の中間部の内側の面を尻側に当てた状態で、一方の端部と他方の端部とを下腹部側へ回して重ね合わせ、固定部材１３０の雄型バックル１３２を雌型バックル１３１に嵌めて、骨盤まわりに装着する。
【００３５】
さらに、股関節ベルト４０を右脚の大腿部に巻き、固定部材１３０で巻いた状態を維持する。このとき、股関節ベルト４０を大腿部の付け根に寄せて、内腿側を低くして正面視で傾くように巻く。股関節ベルト４０を連結部材５０で骨盤ベルト１０とつないで、股関節ベルト４０の内、大腿部の外側が内股側より高くなるよう骨盤ベルト１０で支えて、股関節ベルト４０の傾いた状態を保持する。
【００３６】
第１実施形態と同様に、骨盤ベルト１０をポンプ２００によって膨らませて、骨盤まわりを押圧する。股関節ベルト４０も、骨盤ベルト１０と同様に、ポンプ２００と計測器３００とをコネクターにつないで空気袋１２１を膨らませる。
【００３７】
加圧用具２によれば、骨盤ベルト１０の空気袋１２１が膨張して骨盤まわりを押圧すると共に、股関節ベルト４０の空気袋１２１が膨張して股関節の大腿骨側の筋肉を締め付けて、股関節の痛みを和らげることができる。
【００３８】
さらに加圧用具２によれば、膨張した空気袋１２１が筋肉の動きに追随して変形しながら、当接する部位を均一に押圧するので、使用者は加圧用具２を装着した状態で体を動かすことができる。これにより、筋力を増強させるトレーニングを行える。軽い運動としてストレッチや立った姿勢で股関節ベルト４０を装着した右脚を振り子のように動かす運動などを行うことで、股関節まわりの主動筋を拘束して、股関節に近いインナーマッスルを集中的に鍛えることができる。
【００３９】
（実施例）
図８は本発明の実施例の加圧用具３を示す図であり、加圧用具３は、骨盤ベルト１０と腰椎ベルト２０と左右の大腿部に装着される股関節ベルト４０とを備えている。図８では、（ａ）が加圧用具３を装着した使用者を正面から見た図であり、（ｂ）が（ａ）の装着状態における加圧用具３と使用者の骨格とを示す概略図である。なお、図８（ｂ）は骨格を実線で表し、この骨格に対応する加圧用具３を斜線を付して表している。第１実施形態や第２実施形態と同様の構成には、同じ符号を付して、その説明を省略する。
【００４０】
図９は図８のＤ−Ｄ線に沿った骨盤ベルト１０の断面を拡大した図である。骨盤ベルト１０と腰椎ベルト２０では、膨張部材１２０が使用者の正面側を避けて背面側を押圧するよう、使用者の背面側に対応する位置に設けられ、図示例ではベルト本体１１０の長手方向中間の領域に設けられている。
【００４１】
骨盤ベルト１０と腰椎ベルト２０の膨張部材１２０は、それぞれポンプ２００からの空気によって膨張すると、未装着の状態では内側へ３ｃｍ〜５ｃｍ程、張り出すように構成されている。また、腰椎ベルト２０の膨張部材１２０は、骨盤ベルト１０の膨張部材１２０より大きく膨らませることができるように構成されている。
【００４２】
骨盤ベルト１０のベルト本体１１０では、表材１１１が可撓性のプラスチック製シートで構成され、このシートに伸縮性の生地が裏材１１２として縫合されており、二つの収容部１１５が設けられている。
【００４３】
腰椎ベルト２０のベルト本体１１０では、表材１１１が、骨盤ベルト１０のベルト本体１１０の表材より柔軟性を持ったプラスチック製シートで構成され、このシートに伸縮性の生地が裏材１１２として縫合されており、二つの収容部１１５が設けられている。
【００４４】
ファスナーが骨盤ベルト１０と腰椎ベルト２０とをつなぐ連結部材３０として設けられており、骨盤ベルト１０と腰椎ベルト２０がファスナーでつながると、それぞれのベルト本体１１０が連なって広い連続シート面を構成する。
【００４５】
股関節ベルト４０は、ストレッチ生地などの伸縮性の素材で構成されたベルト本体１１０が膨張部材１２０を包んでいて、骨盤ベルト１０や腰椎ベルト２０と比べて長手方向に高い伸縮性を備えている。股関節ベルト４０は、固定部材１３０として面ファスナーを、ベルト本体１１０の一方の端部と他方の端部とが重なる面に設けている。
【００４６】
加圧用具３は、骨盤ベルト１０と股関節ベルト４０とをつなぐ連結部材５０として、骨盤ベルト１０から垂れ下がるストラップと、このストラップの端部と股関節ベルト４０とが重なる面に設けられた面ファスナーと、を備えている。連結部材５０は、左右の大腿部に装着される股関節ベルト４０それぞれを骨盤ベルト１０で支えるよう、使用者の体の左側と右側に設けられる。
【００４７】
加圧用具３によれば、腰周辺の広い範囲に亘って装着して、骨盤、腰椎と股関節とを併せて押圧することができる。
【００４８】
本発明の加圧用具は、上記の構成例に限定されるものではなく、例えば骨盤ベルトや腰椎ベルトは膨張部材を３つ以上備えてもよい。
【符号の説明】
【００４９】
１，２，３  加圧用具
１０  骨盤ベルト
２０  腰椎ベルト
３０，５０  連結部材
４０  股関節ベルト
１１０  ベルト本体
１１５  収容部
１２０  膨張部材
１２１  空気袋
１２２  規制部材
１２３  収容袋
１３０  固定部材
【図１】
2019088419.tif 000003
【図２】
2019088419.tif 000004
【図３】
2019088419.tif 000005
【図４】
2019088419.tif 000006
【図５】
2019088419.tif 000007
【図６】
2019088419.tif 000008
【図７】
2019088419.tif 000009
【図８】
2019088419.tif 000010
【図９】
2019088419.tif 000011